(57)【要約】      （修正有）【課題】ハンマー作業を必要とせずに確実に設置できる軽量で実用的な組立足場の先行手すりを提供する。【解決手段】組立足場の先行手すりは、平面視コ字状で下方へ傾斜した受金具を固設した支柱１０に対して使用するもので、受金具に係合する第１係止金具４と第２係止金具を両端に備えた横架材２と、横架材２に回動自在に連結された垂直材７とからなる。第１係止金具４は、受金具の下端に係止する係止爪を有し、第２係止金具は、Ｌ字状として、横架材２に固設された端金具５に設けた長孔にピンで連結されるとともに垂直材７にピンで連結されている。また、垂直材７は、中央部にバネ７ｄを介して上材と下材に分割し、上材にストッパを固設するとともに下材に受金具へ挿嵌する係合材を固設している。【選択図】図１
0003153728.tif 000002
【実用新案登録請求の範囲】
【請求項１】
平面視コ字状の受金具を固設した支柱と、該受金具に緊結される緊結金具を両端に有する横部材と、水平に設置される踏板とによって建築物周囲に形成される組立足場の構築の作業に用いる先行手すりであって、該先行手すりは、支柱の受金具に係合する第１係止金具を一端に備えるとともに隣接する支柱の受金具に係合する第２係止金具を他端に備えた横架材と、該横架材の他端に回動自在に連結された垂直材とからなり、該第１係止金具は、該受金具の下端に係止する係止爪を有し、該垂直材には支柱の受金具の下端に当接して上方への移動を阻止するストッパを備えたことを特徴とする組立足場の先行手すり。
【請求項２】
前記横架材の第１係止金具は、所定角度回動可能にピンで連結され、第２係止金具は、Ｌ字状として、横架材の他端に固設された端金具に設けた長孔にピンで連結されるとともに垂直材にピンで連結し、垂直材が折りたたまれた状態から開く課程で第２係止金具が回動して、第１係止金具と第２係止金具との距離が狭まり緊結されるようにしたことを特徴とする請求項１記載の組立足場の先行手すり。
【請求項３】
前記垂直材は、中央部にバネを介して上材と下材に分割されており、上材に前記ストッパが固設されるとともに下材に受金具へ挿嵌する係合材が固設され、前記ストッパを該バネで受金具の下端へ押接させたことを特徴とする請求項１または請求項２のいずれかに記載の組立足場の先行手すり。
【考案の詳細な説明】
【技術分野】
【０００１】
本考案は、構築物の回りに組立て設置される組立足場の構築や解体の作業を安全に行うための先行手すりに関するものである。
【０００２】
組立足場は、ビルの建設工事や外壁塗装等の施工の際に、構築物の回りに組立てられるもので、種々の方式があるが、組立および分解がハンマーのみで行える楔緊結式が多く使用されている。これは、図５に示すように、等間隔に受金具１１を固着した継足し可能な支柱１０を所定の間隔で配置すると共に、該受金具１１に嵌合する緊結金具１２ａを両端に有する横部材１２をハンマーで緊結して組み付けるようにしたものである。
【背景技術】
【０００３】
組立足場を構築する場合は、支柱を継ぎ足して順次上の段へ組み上げて行くが、踏板上で横部材や上段の踏板を架設するときの作業の安全を確保するため、下段の踏板上で上段の一時的な手すりを設置する「手すり先行工法」と称する作業が行われている。この工法の１つに、下段の踏板上で上段の一時的な手すりを先行して設置し、上段の踏板上で横部材を緊結した後、一時的な手すりを取り外して、次の上段へ設置する、「手すり先送り方式」があり、この手すりを先行手すりと称している。
【０００４】
先行手すりの従来技術としては、特許文献１に開示されたものが知られている。 
この先行手すりは、２本の建地材と建地材の上端に回動自在に軸着した１本の手摺本体によって全体形状を略コ字状に形成したものである。
【先行技術文献】
【特許文献】
【０００５】
【特許文献１】特開２００２-２９５００３
【考案の概要】
【考案が解決しようとする課題】
【０００６】
特許文献１の先行手すりは、折り畳んで運搬でき、建地材と手摺本体とは自由な形態に変形できるので、作業がやりやすく短時間に行えるという優れた効果を有している。
しかしながら、この先行手すりは、設置したとき伏コ字状となる３本の鋼管で構成されているので、かなりの重量があり、運搬や設置作業が大変である。また、支柱の受金具に建地材の上端と下端に備えた係止部を嵌入させただけでは、上方向がフリーの状態であるので、係止部をハンマーで打ち込んで緊結する必要がある。このハンマー作業は、一方の手で先行手すりを持って、行うことになり、しかも、取付作業とハンマー作業を交互に行わなければならず、ハンマーを作業着のポケットへ出したり入れたりの作業となる。このため、両手が塞がっている時間が多く、バランスを崩さないように十分に注意して作業することが必要で、怠ると危険な状況となることが考えられる。
【０００７】
そこで、本考案は、ハンマー作業を必要とせずに確実に設置できる軽量で実用的な組立足場の先行手すりを提供することを目的としている。
【課題を解決するための手段】
【０００８】
上記の課題を解決するため、本考案の組立足場の先行手すりは、次のように構成した。  すなわち、平面視コ字状の受金具を固設した支柱と、該受金具に緊結される緊結金具を両端に有する横部材と、水平に設置される踏板とによって建築物周囲に形成される組立足場の構築の作業に用いる先行手すりであって、該先行手すりは、支柱の受金具に係合する第１係止金具を一端に備えるとともに隣接する支柱の受金具に係合する第２係止金具を他端に備えた横架材と、該横架材の他端に回動自在に連結された垂直材とからなり、該第１係止金具は、該受金具の下端に係止する係止爪を有し、該垂直材には支柱の受金具の下端に当接して上方への移動を阻止するストッパを備えたことを特徴としている。
【０００９】
本考案の組立足場の先行手すりは、平面視コ字状の受金具を固設した支柱を用いた組立足場で使用するものである。横部材の両端に固設される緊結金具は、上記従来技術で説明したものに限定するものではない。例えば、緊結金具を楔状とせずに、別体の楔状の部材を別に打ち込んで緊結するようにしたものでもよい。
【００１０】
本考案の先行手すりは、支柱の受金具に掛け渡される横架材と、横架材２の他端に連結された垂直材とから構成され、ハンマー作業なしで設置できることを特徴としている。
この先行手すりは、横架材の一端に備えた第１係止金具の係止爪と、垂直材に設けたストッパがそれぞれ受金具の下端に係止または当接することにより、上方への移動が阻止される。
【００１１】
横架材の両端の第１係止金具および第２係止金具は、受金具に係止できるものであればその形状構造は特に限定しないが、請求項２に記載のように、横架材の第１係止金具は、所定角度回動可能にピンで連結され、第２係止金具は、Ｌ字状として、横架材の他端に固設された端金具に設けた長孔にピンで連結されるとともに垂直材にピンで連結し、垂直材が折りたたまれた状態から開く課程で第２係止金具が回動して、第１係止金具と第２係止金具との距離が狭まり緊結されるようにするのが望ましい。
また、垂直材は、請求項３に記載のように、中央部にバネを介して上材と下材に分割し、上材にストッパを固設するとともに下材に受金具へ挿嵌する係合材を固設し、ストッパをバネで受金具の下端へ押接させるのが望ましい。
【考案の効果】
【００１２】
本考案の組立足場の先行手すりは、上記のように、支柱の受金具に係合する第１係止金具と第２係止金具を両端に備えた横架材と、横架材に回動自在に連結された垂直材とからなり、該第１係止金具は、受金具の下端に係止する係止爪を有し、垂直材には支柱の受金具の下端に当接するストッパを備えたので、先行手すりが上方へ抜けることがないので、安全である。しかも、軽量でハンマー作業を必要とせずに確実に設置できる。
【００１３】
また、横架材の第１係止金具は、所定角度回動可能にピンで連結し、第２係止金具は、Ｌ字状として、横架材の他端に固設された端金具に設けた長孔にピンで連結するとともに垂直材にピンで連結し、垂直材が折りたたまれた状態から開く課程で第２係止金具が回動して、第１係止金具と第２係止金具との距離が狭まるようにすれば（請求項２）、横架材が取付にともなって自動的に受金具に緊結される。
【００１４】
また、垂直材は、上材と下材に分割してバネを介して連結し、上材に該ストッパを固設するとともに下材に受金具へ挿嵌する係合材を固設すれば（請求項３）、該ストッパを受金具の下端へ押接させるとともに、垂直材をしっかり固定でき、また、取り外しも簡便である。
【図面の簡単な説明】
【００１５】
【図１】本考案の組立足場の先行手すりの実施の形態を示すもので、支柱へ取付けた状態を示す正面図である。
【図２】同、先行手すりを各部品に分解した状態を示す正面図である。
【図３】同、先行手すりを折りたたんだときの状態を示す正面図である。
【図４】同、垂直材７の取付時の状態を示す正面図である。
【図５】同、支柱と横部材１２を示す斜視図である。
【考案を実施するための形態】
【００１６】
本考案の組立足場の先行手すりの実施の形態を図面に基づいて説明する。
図１は、構築中の組立足場に先行手すり１を取付けた状態を示している。
組立足場は、継足し可能な支柱１０と、支柱１０間に掛け渡される横部材１２（図示してない）と踏板１３を組み合わせて、建築物の周囲に水平方向および垂直方向に継足しながら構築される。
支柱１０には、図５に示すように、平面視コ字状の受金具１１が四方に固設され、上端には継足すための嵌合材１０ａが固設されている。受金具１１は支柱１０に対向させて２個固設され、その直下で直角方向に対向させて２個固設されている。
なお、受金具１１は、この例では、４個毎に踏板１３が取付く間隔で支柱１０に取付けられている。また、横部材１２は、両端にハンマーによって叩き込むための緊結金具１２ａが固設されたものを使用している。
【００１７】
先行手すり１は、隣接する支柱１０の受金具１１に水平に係止される横架材２と、横架材２に連結された垂直材７とから構成されている。
横架材２は、図２に示すように、棒状（鋼管製）の部材の両端に、Ｕ字状の端金具３，５がそれぞれ固設されている。なお、この固設は、ここでは、横部材１２との間隙を大きくするため、棒状の部材の両端部を潰し端金具３，５の一面側へ固設している。
一端の端金具３には、点線で示すように、第１係止金具４がピン３ａによって所定の角度（約３０度）回動可能に連結されている。これは、端金具３の上面に切欠き３ｂが形成されており、第１係止金具４の上部がこの切欠き３ｂの両端に係止することにより回動が阻止される構成としている（図２の横架材２の第１係止金具４側の上の平面図参照）。
【００１８】
第１係止金具４は、厚さ４〜６ｍｍの鋼板から所定の形状に切断したもので、一端側には連結用のピン３ａが嵌合する孔が穿設され、他端側には、受金具１１の下端に係止するための係止爪４ａが形成されている。
一方、他端の端金具５には、長孔５ａとピン孔５ｂが形成され、第２係止金具６と垂直材７が連結されている。
第２係止金具６は、受金具１１に係止するもので、Ｌ字状に形成され、係止部６ａと連結のためのピン孔６ｂ、６ｃが穿設されている。
【００１９】
垂直材７は、上材７ａと下材７ｂに分割され、繋ぎ管７ｃを介して連結された棒状（鋼管製）の部材である。すなわち、上材７ａの下端に繋ぎ管７ｃが固設され、これに下材７ｂ嵌挿され、ピン７ｅによって連結されている。そして、繋ぎ管７ｃには案内溝７ｍが軸方向に形成されており、ピン７ｅは案内溝７ｍに案内されて移動可能であり、上材７ａに固設したピン７ｆとピン７ｅの間にバネ７ｄが取付けられている。
また、上材７ａ上端には端金具７ｎが固設されており、２個のピン孔７ｇ、７ｈが穿設されている。
さらに、上材７ａの上端寄りにはＬ字状のストッパ７ｊが固設されており、下材７ｂの下部寄りには支柱１０の受金具１１に係止する係合材７ｋが固設されている。なお、係合材７ｋの第２係止金具６からの距離は、受金具１１の２個分の距離より長く設定されている。
【００２０】
横架材２と第２係止金具６と垂直材７とは、次のように連結されている。
まず、横架材２の端金具５のピン孔５ｂと垂直材７の端金具７ｎのピン孔７ｇとをピン８ａで連結し、端金具７ｎのピン孔７ｈと第２係止金具６のピン孔６ｂとをピン８ｃで連結し、第２係止金具６のピン孔６ｃと端金具５の長孔５ａとをピン８ｂで連結している。
【００２１】
次に、このように構成された先行手すり１の作用について説明する。
先行手すり１を運搬したり収納したりするときは、図３に示すように、垂直材７を折り畳んで横架材２に接した状態とする（図３では若干開いた状態としているが完全に閉じた状態にできる）。なお、端金具５を上にしてストッパ７ｊを係止部材として使用し、縦にして引っ掛けて保存することもできる。
【００２２】
先行手すり１を設置するときの上段の状態は、支柱１０のみがあるだけで、横部材１２や踏板１３（一点鎖線で示す）は取付けられていない。なお、支柱１０は、上の段の踏板１３より上に２個の受金具１１が存在するように支柱１０を継足しするものとする。
先行手すり１を取付ける場合は、まず、先行手すり１の横架材２を一方の手で持ち、他方の手で垂直材７を持って、拡げつつ第１係止金具４を上の段の踏板１３面より２個上の受金具１１であって下側のもの（図１において、紙面手前側に固設されている受金具１１）へ係合させる。そして、係止爪４ａを受金具１１の下端に係止させる。このとき、先行手すり１は、上端を第１係止金具４としてく字状の状態である。
【００２３】
続いて、垂直材７を上へ押し上げ、横架材２をほぼ水平状態にして、垂直材７を垂直にしながら第２係止金具６の係止部６ａを受金具１１へ係合させる。
第２係止金具６は、垂直材７が横架材２に折り畳まれているときは、ピン８ｂが端金具５の長孔５ａの外側（横架材２側と反対方向）に位置し、垂直材７が横架材２と直角になるにしたがって、横架材２側へ移動し（図４参照）、また、係止部６ａが下向きに回動する。これにより、第１係止金具４と第２係止金具６間の距離が縮まり、横架材２は、しっかり緊締される。
【００２４】
続いて、垂直材７の上材７ａを一方の手で持ち、他方の手で下材７ｂを持って、下材７ｂ側を上材７ａ側へ押し込み、バネ７ｄを圧縮させて係合材７ｋを受金具１１（紙面手前側へ固設されているもの）へ係止させ下材７ｂを持っている手を離す。これにより、上材７ａが上方へ押し上げられ、ストッパ７ｊが受金具１１の下端に押接し、垂直材７が支柱１０にしっかりと固定される。
【００２５】
その後、上段の踏板１３を取付ける。そして、隣の踏板１３へ順次移動して上記と同じ作業を行う。
同じ段での作業が済んだら、上段へ移動し、本手すりとなる横部材１２を取付ける。
この作業は、ここでは、横部材１２の両端の緊結金具１２ａを支柱１０の受金具１１へ嵌合してハンマーで打ち込んで緊結している。
横部材１２の取付けが済んだら、先に設置した先行手すり１を取り外す。この作業は、垂直材７の下材７ｂを持って、押し上げて係合材７ｋを受金具１１から外し、横架材２側へ回動させつつ押し上げて、第２係止金具６を受金具１１から外し、続いて、第１係止金具４を受金具１１から外せばよい。なお、取り外した先行手すり１は、支柱１０が継足された後、さらに上段の先行手すり１として取付ける。
【００２６】
一方、組立足場を解体する場合は、取り外す段において、本手すりとして設置されている横部材１２を取り外す前に、その位置に先行手すり１を設置し、しかる後に、横部材１２を取り外す。この作業は、横部材１２を片手で持ち、他方の手でハンマーをもって横部材１２の緊結金具１２ａを下から叩いて取り外す。先行手すり１の横架材２の棒状の部材は横部材１２より外側へ位置し、間隙が十分あるので、横部材１２を持つ手が横架材２に挟まれるといったことがない。
先行手すり１は、下の段において上の段の踏板１３を取り外した後に、取り外す。
【符号の説明】
【００２７】
１  先行手すり
２  横架材
３  端金具
３ａ  ピン
３ｂ  切欠き
４  第１係止金具
４ａ  係止爪
４ｂ  凹部
５  端金具
５ａ  長孔
５ｂ  ピン孔
６  第２係止金具
６ａ  係止部
６ｂ  ピン孔
６ｃ  ピン孔
７  垂直材
７ａ  上材
７ｂ  下材
７ｃ  繋ぎ管
７ｄ  バネ
７ｅ  ピン
７ｆ  ピン
７ｇ  ピン孔
７ｈ  ピン孔
７ｊ  ストッパ
７ｋ  係合材
７ｍ  案内溝
７ｎ  端金具
８ａ  ピン
８ｂ  ピン
８ｃ  ピン
１０  支柱
１０ａ  嵌合材
１１  受金具
１２  横部材
１２ａ  緊結金具
１３  踏板
【図１】
0003153728.tif 000003
【図２】
0003153728.tif 000004
【図３】
0003153728.tif 000005
【図４】
0003153728.tif 000006
【図５】
0003153728.tif 000007